(57)【要約】【課題】  業者以外の個人等のエンドユーザが、少人数、容易に組み立てできる防音室を提供する。【解決手段】  複数のパネル（１０〜６０）を用いて防音空間を構築する防音室において、前記防音空間の側部を規定する複数の第１パネル（２０〜５０）と、前記各第１パネル（２０〜５０）を受けるパネル受け（１１〜１６）が取り付けられていて前記防音空間の底部を規定する第２パネル（１０）とを備え、前記パネル受け（１１〜１６）が、前記防音空間の構築工程で、第２パネル（１０）本体の一部（パネル１０の端面）との間で前記第１パネル（２０〜５０）を固持するように取り付ける。【選択図】    図１
2006312864.tif 000002
【特許請求の範囲】
【請求項１】
複数のパネルを用いて閉空間を構築するプレハブ室において、
前記閉空間の側部を規定する複数の第１パネルと、
前記各第１パネルを受けるパネル受けが取り付けられていて前記閉空間の底部を規定する第２パネルとを備え、
前記パネル受けが、第２パネル本体の一部との間で前記第１パネルを固持できるように取り付けられていることを特徴とするプレハブ室。
【請求項２】
前記パネル受けは、前記第２パネルの底面に一端が取り付けられていて、前記第２パネルの端面から所要位置で、上に向けて曲げられていることを特徴とする請求項１記載のプレハブ室。
【請求項３】
前記各パネル間に、パッキンが設けられていることを特徴とする請求項１又は２記載のプレハブ室。
【請求項４】
前記パネルは、防音パネルであることを特徴とする請求項１から３のいずれか記載のプレハブ室。
【請求項５】
請求項１から４のいずれか記載のプレハブ室を構成する前記各パネルを備えるプレハブ室組み立てキット。
【請求項６】
請求項１から５のいずれか記載のプレハブ室と、前記プレハブ室内のスピーカとを含むことを特徴とするオーディオ室。
【請求項７】
複数のパネルを相互に結合して閉空間を構築するプレハブ室に用いられるパネル結合部材であって、
前記閉空間の側部を規定する複数の第１パネルの外面を受ける外面受け部と、前記第１パネルの内面を受ける内面受け部と、前記外面受け部と前記内面受け部とを接続する接続部と、前記閉空間の底部を規定する第２パネルの底面を受ける底面受け部とを有し、
前記外面受け部と前記内面受け部とが、当該第１パネルのパネル厚に応じた間隔を空けて配置されていて、
前記接続部と前記底面受け部とが、前記閉空間の底部を規定する第２パネルのパネル厚に応じた間隔を空けて配置されていることを特徴とするパネル結合部材。
【請求項８】
前記外面受け部と前記内面受け部とを接続する接続部と、前記閉空間の底部を規定する第２パネルの底面を受ける底面受け部とを有し、
前記接続部と前記底面受け部とが、一体形成されていることを特徴とする請求項９記載のパネル結合部材。
【請求項９】
複数のパネルを相互に結合して閉空間を構築するプレハブ室と、前記各パネルを相互に結合する結合部材との結合機構であって、
前記閉空間の側部を規定する複数の第１パネルの底面には、前記結合部材の第１端部が差し込まれる溝が形成されていることを特徴とする結合機構。
【発明の詳細な説明】
【技術分野】
【０００１】
本発明は、プレハブ室に関し、特に、防音室及びオーディオ室を含むプレハブ室に関する。
【背景技術】
【０００２】
従来、建物内に防音室を設置する場合、種々の部材を建物内に運び込み、建物内で組み立て設置する方法が一般的に知られている。しかし、組み立てに際して、大量の部材が必要となるため、その運搬や組み立てには手間が掛かる。
【０００３】
そこで、防音室の壁面を構成するパネルの端面に、パネル間の連結のための連結部材を予め工場で固定した上で、パネルを現場に運び込み、建物内で複数のパネルを連結することにより組み立て可能な防音室が普及するに至っている。
【０００４】
特許文献１には、建物内で組み立て設置される防音室の外枠を形成する複数のコーナー枠部材と、これらコーナー枠部材間に介装された複数の間柱部材と、前記コーナー枠部材と間柱部材との間若しくは各間柱部材間に装着可能なパネルとを備え、前記コーナー枠部材は、断面Ｌ字状に形成される一方、前記間柱部材は、断面Ｔ字状に形成される防音室について記載されている。
【０００５】
特許文献２には、建物の室内に、端部を相互結合する土台材の結合部に下端をほぞ結合するコーナー支柱を立設し、このコーナー支柱上端に端部を相互を結合する桁梁材での結合部をほぞ結合して軸組みを構築し、この軸組みの面内に、防音性能を有する、床パネル、壁パネル、天井パネル、その他のパネルやドアを嵌め込んで天井、床、壁のすべてを遮音区画とする内部部屋を形成すること、および、土台材端部相互、桁梁材端部相互はしゃくり結合する防音室について記載されている。
【０００６】
特許文献３には、遮音性能を有するドアパネル、壁パネル、床パネル、天井パネルからなり、床パネルを囲むようにドアパネルと複数の壁パネルを相互にダボとダボ穴の嵌合、および、受け金具とこの受け金具に掛着して締結する締結金具との組み合わせで着脱自在に連結させ、これらドアパネル、壁パネルの上端で囲まれる部分に天井パネルを嵌込み載置した防音室について記載されている。
【０００７】
【特許文献１】特開平１１−２４７４７１号公報
【特許文献２】特開平１１−２８７００４号公報
【特許文献３】特許第２７４１６５６号
【発明の開示】
【発明が解決しようとする課題】
【０００８】
しかし、特許文献１〜３に記載されている防音室は、いずれも、業者以外の個人等のエンドユーザが、少人数で、このような防音室を組み立てすることは困難である。特許文献１、２に記載されている防音室は、その構成部材の数が多く、組み立て工程も複雑である。特許文献３に記載されている防音室は、ドアパネル及び壁パネルを床パネルに対して取り付けること、ドアパネルと壁パネルとの相互接続の際にこれらの位置決めをしておくことが困難である。
【０００９】
そこで、本発明は、業者以外の個人等のエンドユーザが、少人数、容易に組み立てできるようにすることを課題とする。
【課題を解決するための手段】
【００１０】
上記課題を解決するため、本発明は、
複数のパネルを用いて閉空間（例えば防音空間）を構築するプレハブ室（例えば、防音室、オーディオ室）において、
前記閉空間の側部を規定する複数の第１パネル（２０，３０，４０，５０）と、
前記各第１パネルを受けるパネル受け（１１〜１６等）が取り付けられていて前記閉空間の底部を規定する第２パネル（１０）とを備え、
前記パネル受けが、第２パネル本体の一部（例えば、図１の床パネル１０の端面、又は、図３の床パネル１０の上面）との間で前記第１パネルを固持できるように取り付けられていることを特徴とする。
【００１１】
すなわち、本発明は、防音室に適用する場合を例にすると、複数の防音パネルを用いて防音空間を構築する防音室において、
前記防音空間の側部を形成する複数の第１防音パネル（２０，３０，４０，５０）と、
前記各第１防音パネルを受けるパネル受け（１１〜１６等）が取り付けられていて前記防音空間の底部を形成する第２防音パネル（１０）とを備え、
前記パネル受けが、前記防音空間の構築工程で、第２防音パネル本体の一部（例えば、図１の床パネル１０の端面、又は、図３の床パネル１０の上面）との間で前記第１防音パネルを固持するように取り付けられている。
【００１２】
より具体的には、例えば、立方体状或いは直方体状の防音室を構築するためには、
前記防音空間の側面を形成する複数の第１防音パネル（２０，３０，４０，５０）と、
前記各第１防音パネルを受けるパネル受け（１１〜１６）が取り付けられていて前記防音空間の底面を形成する第２防音パネル（１０）と、
前記各第１防音パネル上に載置される第３防音パネル（６０）とを備え、
前記パネル受けは、前記第２防音パネルの底面に一端が取り付けられていて、前記第２防音パネルの端面から所要位置（例えば、第１防音パネルの厚み（ｗ）分だけ離れた位置）で、上に向けて曲げればよい。
【００１３】
この際、前記第３防音パネルには、組み立て後の防音室における各パネル間の結合を強固にするために、上角部又は前記第２パネルとの接触面に取り付けられていて前記第２防音パネルを受ける更なるパネル受け（６４〜６９）が取り付けられているとよい。
【００１４】
或いは、例えば、倒置させた三角柱状の防音室を構築するためには、
前記防音空間の側部を形成する複数の第１防音パネル（２０，３０，４０，５０）と、
前記各第１防音パネルを受けるパネル受け（１１〜１６、１８）が取り付けられていて前記防音空間の底部を形成する第２防音パネル（１０）とを備え、
前記パネル受けは、
前記第２防音パネルの端面に沿った一面と、当該第２防音パネルの端面の上角から前記第１防音パネルの取り付け角度に対応する角度で曲げられている他面とを有する第１パネル受け（１１〜１６）と、
更なる一面と更なる他面とが前記第１防音パネルの取り付け角度を為し、前記更なる他面が前記他面と平行で、かつ、前記更なる他面が前記他面から前記第１防音パネルの厚み分だけ離れて位置する態様で、前記第２防音パネルの上面に前記更なる一面が取り付けられている第２パネル受け（１８）とを有するようにすればよい。
【００１５】
プレハブ室（防音室）の気密性、防音性をより確保するために、前記各防音パネル間に、パッキン（２２，３２，４５，５２）が設けられているとよい。
【００１６】
さらにまた、本発明のプレハブ室組み立てキットは、上記プレハブ室を構成する前記各パネル（１０，２０，３０，４０，５０等）を備える。
【００１７】
またさらに、本発明のオーディオ室は、上記記載の防音室（１００）と、前記防音室内のスピーカとを含むことを特徴とする。これにより、大音量で映画、音楽等を楽しむことが可能になる。
【００１８】
また、本発明は、複数のパネルを相互に結合して閉空間を構築するプレハブ室に用いられるパネル結合部材であって、前記閉空間の側部を規定する複数の第１パネルの外面を受ける外面受け部と、前記第１パネルの内面を受ける内面受け部とを有し、前記外面受け部と前記内面受け部とが、当該第１パネルのパネル厚に応じた間隔を空けて配置されていることを特徴とする。このため、プレハブ室を構築する際に、第１パネルの取り付けが容易になる。
【００１９】
特に、前記外面受け部と前記内面受け部とを接続する接続部と、前記閉空間の底部を規定する第２パネルの底面を受ける底面受け部とを有し、前記接続部と前記底面受け部とが、前記閉空間の底部を規定する第２パネルのパネル厚に応じた間隔を空けて配置されていると、プレハブ室を構築する際の、第１パネルと第２パネルと各々の位置決めが簡単になる。
【００２０】
一方、前記外面受け部と前記内面受け部とを接続する接続部と、前記閉空間の底部を規定する第２パネルの底面を受ける底面受け部とを有し、前記接続部と前記底面受け部とが、一体形成されていると、底面受け部が第２パネルからの重さを受けるので、底面受け部と第２パネルとの接続を不要とすることもできる。
【００２１】
さらに、本発明は、複数のパネルを相互に結合して閉空間を構築するプレハブ室と、前記各パネルを相互に結合する結合部材との結合機構であって、前記閉空間の底部を規定する第２パネルの底面には、前記結合部材の第１端部が差し込まれる長孔（溝）が形成されていて、前記結合部材は、前記第１端部と、前記第１端部と並行に形成されていて前記閉空間の側部を規定する複数の第１パネルの外面を受ける第２端部と、前記第１端部と前記第２端部とを接続する接続部とを有することを特徴とする。このため、接続部と第２パネルとの接続を不要とすることができるだけでなく、これらの位置ズレが防止できる。
【発明を実施するための最良の形態】
【００２２】
以下、本発明の実施形態について、図面を参照して説明する。なお、図面は、本発明の実施形態の説明の都合上、一部を誇張して描いてあるものがある。したがって、実際の製品は、部材の数、寸法及び比率については図示されているものに限定されるわけではないことに留意されたい。
【００２３】
（実施形態１）
図１は、本発明の実施形態１の防音室１００の模式的な分解斜視図であり、本実施形態の防音室用キットの各パーツ１０〜６０を示す。図２は、図１に示すパーツ１０〜６０の模式的な平面図及び側面図である。図１，図２に示すように、本実施形態の防音室１００（防音室組み立てキット）は、床パネル１０と、壁パネル２０，３０，５０と、ドアパネル４０と、天井パネル６０とに大別される。
【００２４】
床パネル１０は、長さＬが例えば２．５ｍ〜３ｍ程度、幅Ｗが例えば１．５ｍ〜２ｍ程度、厚みが例えば５ｃｍ〜１０ｃｍ程度、重さが３０〜５０ｋｇ程度である。また、床パネル１０は、図１及び図２（ａ）に示すように、上面或いは内部に鉛板、岩綿などを含む断熱効果を有する防音材１７が設けられている。この他に、選択的に吸音材等を設けてもよい。床パネル１０の底面には、複数（ここでは６つ）のＬ字状のパネル受け１１〜１６が取り付けられている。
【００２５】
床パネル１０におけるパネル受け１１〜１６の取り付け箇所近傍には、パネル受け１１〜１６の厚さに応じて凹部が設けられている。これにより、パネル受け１１〜１６の底面と床パネル１０の底面とが同一平面を形成する。パネル受け１１〜１６は、床パネル１０の底面に螺子、接着剤等によって一端が固着されていて、当該底面に沿って床パネル１０の外側に向けて延び、床パネル１０の端面から幅ｗの距離に内側が位置する態様で上に向けて曲げられている。
【００２６】
なお、パネル受け１１〜１６は、床パネル１０の端面から幅ｗの距離に外側が位置する態様で上に向けて曲げてもよい。この際、壁パネル２０，３０，５０及びドアパネル４０の側面及び底面に、パネル受け１１〜１６が収容される凹部を設けて、パネル受け１１〜１６の外面と壁パネル２０，３０，５０及びドアパネル４０の外面とを同一平面上に位置させるとよい。こうすれば、防音室１００表面の凹凸が少なくなるし、防音室の構築時に、パネル受け１１〜１６への壁パネル２０，３０，５０及びドアパネル４０の位置合わせが容易になる。あるいは、パネル受け１１〜１６の床パネル１０への取り付け方を、後述する天井パネル６０側と同じにするとともに、天井パネル６０と床パネル１０との大きさを同じにして、床パネル１０の側面ではなく上面に、壁パネル２０等を載せるようにしてもよい。
【００２７】
ここで、幅ｗは、ドアパネル４０及び壁パネル２０，３０，５０の厚さｗと実質的に同一である。実質的に同一な幅、厚さなどの寸法とは、完全に同一である必要はなく（むしろ完全な同一ではない。）、ドアパネル４０及び壁パネル２０，３０，５０を、床パネル１０とパネル受け１１〜１６との間に立て掛けることができ（この点で、幅ｗの方が厚さｗよりも広い）、防音室１００の組み立て後に、隣接するパネル相互間が十分に防音できる隙間しか空いていない寸法をいう。具体的には、１ｍｍ程度の寸法差としている。以下、図２では、同様に、実質的に同一の寸法に、同じ符号を付している。
【００２８】
また、パネル受け１１〜１６の高さは、床パネル１０の厚みと同程度であればよいし、それよりも高くしてもよい。ここでは、例えば１０ｃｍ程度としている。パネル受け１１〜１６は、本体が金属等の硬質なものからなる。このようなパネル受け１１〜１６のサイズ及び材質により、エンドユーザは、防音室１００の組立時に、ドアパネル４０及び壁パネル２０，３０，５０を、パネル受け１１〜１６上に立て掛けることが可能となる。
【００２９】
また、パネル受け１１〜１６は、ゴム等で覆うこともできる。こうすると、パネル受け１１〜１６本体の腐食、壁パネル２０，３０，５０及びドアパネル４０の傷付き防止、壁パネル２０，３０，５０及びドアパネル４０の滑り止めが担保される。なお、パネル受け１１〜１６の数は、６つに限定されるものではない。
【００３０】
壁パネル２０，５０は、高さが例えば１．８ｍ〜２．０ｍ程度、幅が例えば２．５ｍ〜３ｍ程度、厚みが例えば３ｃｍ〜５ｃｍ程度、重さは３０〜５０ｋｇ程度である。また、壁パネル２０，５０は、図１及び図２（ｂ）に示すように、防音材２１，５１が設けられている。
【００３１】
本実施形態では、図２（ｃ）に示すように、壁パネル２０，５０の断面は、台形状としている。こうすると、壁パネル２０，３０，５０とドアパネル４０とが相互に、しっかり組み合って、地震等の揺れがあっても、防音室１００が倒壊しにくいし、防音室１００の組み立て後に、パネル２０等が水平方向へスライドすることもない。なお、各パネル２０等は、断面を長方形状としてもよい。こうすると、床パネル１０への取り付けの際に、エンドユーザがパネル２０等を持ちやすくなるという利点がある。
【００３２】
壁パネル２０，５０の上面及び側面には、スポンジ、ゴムなど形状可変性がある材料から成るパッキン２２，５２が選択的に設けられる。こうすると、隣接する壁パネル３０及びドアパネル４０との間の気密性と、隣接する天井パネル６０との間の気密性とが向上し、防音室１００の防音レベルが担保される。
【００３３】
壁パネル３０は、高さが例えば１．５ｍ〜２ｍ程度、幅が例えば１．５ｍ〜２ｍ程度、厚みが例えば３ｃｍ〜５ｃｍ程度、重さは１５〜２５ｋｇ程度である。また、壁パネル３０は、図１及び図２（ｄ）に示すように、防音材３１が設けられている。本実施形態では、図２（ｅ）に示すように、壁パネル３０の断面は、台形状としている。壁パネル３０の上面及び側面には、パッキン３２が選択的に設けられる。
【００３４】
また、壁パネル３０の内壁には、防音室１００内の電源を確保するためのコンセント３３が設けられている。壁パネル３０の外壁には、電源コード３４が設けられている。電源コード３４の先端には、商用電源等と接続される電源プラグ３５が形成されている。電源コード３４とコンセント３３とを結ぶ電線は、壁パネル２０内に配設してある。この電線は、天井パネル６０の内壁に設けられている電灯とも電気的に接続するための電源コネクタ３８に接続されている。電源コネクタ３８は、壁パネル３０の上面に設けられている。
【００３５】
さらに、壁パネル３０には、防音室１００の外部に設置されているエアコンディショニングの風の噴出し口に取り付けられたダクトに接続された相対的に大きい貫通孔３７が形成されている。また、壁パネル３０には、相対的に小さい換気孔３６が形成されている。換気孔３６には、図示しない消音キャップが取り付けられている。
【００３６】
ドアパネル４０は、高さが例えば１．５ｍ〜２ｍ程度、幅が例えば１．５ｍ〜２ｍ程度、厚みが例えば３ｃｍ〜５ｃｍ程度、重さは１５〜２５ｋｇ程度である。本実施形態では、図２（ｇ）に示すように、ドアパネル４０の断面は、台形状としている。ドアパネル４０の内面或いは内部には、防音材（図示せず）が設けられている。図２（ｆ）に示すように、ドアパネル４０の上面及び側面には、パッキン４５が選択的に設けられる。
【００３７】
また、ドアパネル４０は、中央部に形成されている防音ドア部４１と、防音ドア部４１の周辺の枠部４２と、防音ドア部４１の上方に形成されておりペアガラスなどを有する窓部４３と、窓部４３の近傍に取り付けられている取手部４４と、ドア部４１と枠部４２とを連結する連結部４６とを含む。ドア部４１と枠部４２との間には、図示しないパッキンが選択的に設けられる。ドア部４１の断面はドアパネル４０と相似形の台形状としている。枠部４２の枠内端面は、ドアパネル４０の形状に合わせて斜めにしてある。
【００３８】
天井パネル６０は、長さＬが例えば２．５ｍ〜３ｍ程度、幅が例えば１．５ｍ〜２ｍ程度、厚みが例えば５ｃｍ〜１０ｃｍ程度、重さは１０ｋｇ程度である。また、天井パネル６０は、図２（ｈ）に示すように、天井パネル６０の上面には、複数（ここでは６つ）のＬ字状のパネル受け６４〜６９が取り付けられている。パネル受け６４〜６９の取り付け箇所には、パネル受け６４〜６９の厚さに応じて凹部を設けて、パネル受け６４〜６９の上面と天井パネル６０の上面とが同一平面を形成するようにしてもよい。
【００３９】
パネル受け６４〜６９は、一端が天井パネル６０の上面に螺子、接着剤等によって固着されていて、当該上面に沿って天井パネル６０の端面に向けて延び、天井パネル６０の端面で下に向けて曲げられている。
【００４０】
また、天井パネル６０は、発泡スチロール等を主材料として軽量化している。なお、他のパネルも発泡スチロール等を主材料として軽量化を図ってもよい。また、上面或いは内部に防音材６２が設けられている。防音材６２の周辺には、縁部６１が例えば周状に形成されている。縁部６１の外周は、天井パネル６０の端面からｗの位置にある。縁部６１の長さＬ及び幅Ｗは、床パネル１０の長さＬ及び幅Ｗと同じである。また、天井パネル６０の防音材６２の中央部付近には、図示しない電灯が設けてあり、電灯への電線は天井パネル６０内に配設してある。当該電線は、電源コネクタ６３に接続されている。電源コネクタ６３は、壁パネル３０の上面に形成されている電源コネクタ３８と結合される。
【００４１】
つぎに、防音室１００の組み立て方法について説明する。まず、エンドユーザは、防音室１００を設置した場所に、床パネル１０を載置する。防音室１００を設置場所は、本実施形態では室内を想定しているが、屋外でも可能である。屋外に設置する場合には、各パネル１０〜６０の外面に、防水加工、外壁施工等を行えばよい。
【００４２】
つづいて、エンドユーザは、床パネル１０とパネル受け１２，１４との間に、防音材２１の形成面が防音室１００内となる態様で、壁パネル２０を立て掛ける。この際、エンドユーザは、防音材２１の形成面の両端が、床パネル１０の長辺の両端と一致するように位置合わせする。同様に、エンドユーザは、床パネル１０とパネル受け１６との間に、壁パネル３０を立て掛け、床パネル１０とパネル受け１３，１４との間に、壁パネル５０を立て掛ける。
【００４３】
それから、エンドユーザは、床パネル１０とパネル受け１６との間に、ドアパネル４０を立て掛ける。ドアパネル４０の立て掛けは、例えば、防音ドア部４１を開けて、枠部４２の内上面を持ちながら行うとよい。
【００４４】
最後に、天井パネル６０を、ドアパネル４０及び壁パネル２０，３０，５０に位置合わせして、はめ込む。既述のように、天井パネル６０には、縁部６１が形成されているので、当該位置あわせは容易に行うことができる。
【００４５】
以上説明したように、本実施形態の防音室用キットは、所要の態様でパネル受け１１〜１６が取り付けられている床パネル１０と、床パネル１０の大きさに合った大きさの壁パネル２０，３０，５０及びドアパネル４０と、所要の態様でパネル受け６４〜６９が取り付けられている天井パネル６０とを備える。
【００４６】
したがって、エンドユーザは、工具を必要とせず、時間も必要とせず、面倒且つ複雑な組み立ても必要とせずに、防音室１００を組み立てることが可能になる。特に、ドアパネル４０及び壁パネル２０，３０，５０を、床パネル１０とパネル受け１１〜１６との間に立て掛け終えると、ドアパネル４０及び壁パネル２０，３０，５０から手を離しても、これらが倒れないので、エンドユーザ一人でも、防音室１００の組立が可能になる。また、防音室１００のサイズを大きくする場合には、各パネル１０〜５０を大きくするのではなく、端面に選択的にパッキンを付けたパネル１０〜５０の枚数を多くすることが望ましい。
【００４７】
なお、実際に、防音室１００は、各パネル１０〜６０を、３６０ｃｍ×１８０ｃｍの大きさの２×４防音パネルを複数枚組み合わせて作成してみた。具体的には、床パネル１０は、幅ｗ分だけカットした２×４防音パネルにパネル受け１１〜１６を取り付けて、長辺が相互に隣り合うように３枚並べた。壁パネル２０，５０は、２×４防音パネルを縦長の状態で３枚並べた。壁パネル３０は、貫通孔３７等を形成した２×４防音パネルを縦長の状態で２枚並べた。ドアパネル４０は、防音ドア部４１等を形成した２×４防音パネルと通常の２×４防音パネルとを縦長の状態で並べた。天井パネル６０は、２×４防音パネルを、長辺が相互に隣り合うように３枚並べた。この場合、一人で防音室１００の構築が行え、防音室１００内にスピーカを置き、防音ドア部４１を閉めた状態で大きな音を出したところ、防音室１００の外ではほとんど気にならない音量レベルであった。なお、天井パネル６０の取り付けを容易にするために、天井パネル６０として用いる２×４防音パネルは、３６０ｃｍ×１８０ｃｍの大きさのものを例えば２等分あるいは３等分したものとしてもよい。
【００４８】
（実施形態２）
図３は、本発明の実施形態２の防音室１００の壁パネル２０を複数のパネル７１，７２で作成した場合の説明図である。図３（ａ）は、パネル７１，７２を連結する連結部材７０の斜視図である。図３（ｂ）は、パネル７１，７２の上端面の斜視図である。図３（ｃ）は、パネル７１，７２を連結部材７０で連結した状態を示す斜視図である。
【００４９】
図３（ａ）に示すように、連結部材７０は、全体が略コの字状である。ただし、連結部材７０の両端内側間の距離ｂを、連結部材７０の基端両端間の距離ａよりも長くしている。例えば、距離ａは１０ｃｍ、距離ｂは１０．５ｃｍとしている。また、距離ｃは、例えば５ｃｍとしている。さらに直径は７ｍｍ程度としてある。連結部材７０は、アルミニウム、鉄等の硬性を有する材料を用いているが、硬性は必ずしも有してなくてもよい。連結部材７０は、曲げることによって略コの字状としてもよいし、３つのパーツを相互に溶接等で接続してもよい。なお、連結部材７０の形状は、コの字状に限定されず、Ｕ字状でもよい。また、距離ａ、ｂともに例えば１０ｃｍとしてもよい。
【００５０】
図３（ｂ）に示すように、パネル７１，７２は、上端部にそれぞれ溝７３，７４を形成してある。溝７３，７４は、例えば、半径１５ｍｍの半円状で、長さを６ｃｍとしている。溝７３，７４には、図示しない半円状のアルミニウムなどからなる連結部材受けを設けてもよい。こうすると、防音室１００の解体時に、連結部材受けと連結部材７０との間にバールのようなものを差し込み、てこの原理を使って、連結部材７０の取り外しを行えるようになる。連結部材受けと共にあるいはこれに代えて、連結部材７０の形状を取り外ししやすいように、一部Ｕ字状としてもよい。
【００５１】
溝７３，７４の両端、詳しくは、パネル７１，７２の端面までの距離がａ／２となる位置に、深さが６ｃｍ程度、直径が１．５ｃｍ程度の円筒状の穴を垂直に形成している。これらの穴には、長さが６ｃｍ程度、外周が１．４ｃｍ、内周が０．９ｃｍのパイプ７５，７６を選択的に挿入し、接着剤等で固着してある。パイプ７５，７６は、アルミニウム、鉄等の硬性を有する材料を用いているが、硬性は必ずしも有してなくてもよい。なお、パイプ７１，７２とともに、又はこれらに代えて、各穴にパネル７１，７２を相互に近づけるように作用するバネ材を入れて、選択的に連結部材７０の両端を先細にしてもよい。
【００５２】
図３（ａ）に示す連結部材７０を、図３（ｂ）に示すパイプ７５，７６内に差し込んでいく。こうすると、連結部材７０によって、パイプ７５，７６の内壁が、パネル７１，７２が相互に近づく方向に押されていく。連結部材７０は、溝７３，７４内に収まれば、必ずしも、溝７３，７４の底に達するまで差し込まなくてもよい。図３（ｃ）に示すように、連結部材７０を溝７３，７４内に収めるまで差し込むと、パネル７１，７２がほとんど隙間なく連結することができる。
【００５３】
なお、パネル７１，７２間にパッキンを設けることも可能である。この場合には、連結部材７０の長さ等をパッキンの厚さを加味して、長くすればよい。
【００５４】
また、連結部材７０の距離ａを長くし、パネル７１，７２上に載置される天井パネル６０に対してパイプ７５，７６の位置に対応する貫通孔を形成し、選択的に当該貫通孔間に溝７３，７４に対応する溝を形成し、パネル７１，７２と天井パネル６０とを連結部材７０によって連結してもよい。この場合、パネル受け６４〜６９は取り付けてもよいし、そうでなくてもよい。
【００５５】
図１３は、図３の変形例である。この場合、図３（ａ）のように、連結部材７０をコの字状にし、連結部材７０の両端内側間の距離と、連結部材７０の基端両端間の距離とを等しくしている。また、先端を、外側が尖る態様でそれぞれ斜め（例えば４５度）にカットしてある。また、図３（ｂ）のように、パイプ７５，７６内に、可撓性を有し、および／又は、形状記憶性に富む平板７７を挿入してある。平板は、互いに略並行となるようにしてある。パイプ７５，７６内に連結部材７０を挿入すると、連結部材７０の先端外側尖っているので、当該部分が、各平板７７の外側に入る。したがって、連結部材７０によって平板７７がそれぞれ内側に圧されて変形する。このため、平板７７がバネ部材として機能する。この結果、パネル７１，７２間の距離が狭まり、これらが連結される。なお、連結部材７０を外すと、平板７７は元の形に戻る。
【００５６】
（実施形態３）
図４は、本発明の実施形態３の防音室１００の模式的な分解斜視図であり、本実施形態の防音室用キットの各パーツ１０〜５０を示す。図５は、図４に示す床パネル１０に、ドアパネル４０，壁パネル５０を取り付けた状態の側面図である。なお、各パーツ１０〜５０に防音材、パッキン等を設ける等の事項は、実施形態１の場合と同様である。
【００５７】
床パネル１０は、底面に複数（ここでは６つ）のパネル受け１１〜１６が取り付けられている。パネル受け１２〜１５は、一端が床パネル１０の底面に固着されていて、当該底面に沿って床パネル１０の外側に向けて延び、床パネル１０の端面で上に向けて曲げられてから、床パネル１０の上面の位置で、所要の角度で曲げられている。当該所要の角度は、ドアパネル４０及び壁パネル５０の外面と底面との為す角度と同じである。なお、パネル受け１１、１６は、図１の場合と同様の条件で取り付けてある。
【００５８】
また、床パネル１０の上面には、更なるパネル受け１８が取り付けてある。パネル受け１３，１５とパネル受け１８との対向面間の距離は、壁パネル５０の厚さと同じである。防音室１００を組み立てるときには、パネル受け１３，１５とパネル受け１８との間に、壁パネル５０を差し込めばよい。これにより、床パネル１０と壁パネル５０との結合が完了する。
【００５９】
さらに、壁パネル５０の上部には、ドアパネル４０を受けるパネル受け５３，５４が形成されている。上記のように、床パネル１０と壁パネル５０との接続完了後に、ドアパネル４０を床パネル１０の上であって、パネル受け１２，１４の近傍に立てた状態から、ドアパネル４０の外面を、パネル受け１２，１４の内側に当てるように倒していく。パネル受け１２，１４の内面とドアパネル４０の外面とが平行になるまで倒すと、ドアパネル４０の外面はパネル受け１２，１４の内面で受けられ、かつ、ドアパネル４０の内面はパネル受け５３，５４の外面で受けられる。
【００６０】
壁パネル２０，３０は、ここでは、それぞれ２つのパーツを備える場合を例に示しているが、１つであってもよいし、３つ以上であってもよい。床パネル１０へのドアパネル４０の取り付け後に、壁パネル２０，３０を、床パネル１０に取り付けることで、防音室１００が完成する。なお、ドア部４１は、壁パネル３０側に設けてもよい。
【００６１】
本実施形態の防音室用キットの場合にも、エンドユーザは、工具を必要とせず、時間も必要とせず、面倒且つ複雑な組み立ても必要とせずに、防音室１００を組み立てることが可能になる。壁パネル２０〜５０についても、取り付け後に、エンドユーザが手を離しても倒れない。また、各パーツ１０〜５０は、互いにしっかり組み合っているため、地震等の揺れがあっても、倒壊しにくい。
【００６２】
実施形態１〜３では、それぞれ直方体状、倒置した三角柱状の防音室１００について説明したが、防音室１００の形状はこれらに限定されるものではない。例えば、直方体状であってもよいし、円柱状であってもよい。また、壁パネル２０等は、断面が台形ではなく、長方形であってもよい。
【００６３】
また、防音室１００内に、スピーカを持ち込む、或いは、壁パネル２０，５０等に最大でも数ｃｍ程度の薄型の指向性スピーカを埋め込む或いは取り付けるなどして、防音室１００をオーディオ室として用いてもよい。スピーカの接続対象（テレビ等）は、防音室１００内に持ち込んでもよいし、窓部４３等の窓越しに見るようにしてもよい。実際に、防音室１００をオーディオ室、特に、テレビ鑑賞用として用いる場合には、窓部４３を大きくすればよい。
【００６４】
また、本発明の用途は、防音室、オーディオ室に限定されない。子供部屋、勉強部屋、災害地での仮設住宅等にも使用可能である。特に、実施形態２で説明した手法を用いれば、スペースさえあれば、壁パネルで互いに仕切られた複数の防音空間を構築することができるので、仮設住宅に向いている。つまり、本発明は、エンドユーザが業者以外の個人等のエンドユーザが、少人数、容易に組み立てさえできればよく、用途を限定しないプレハブ室とも考えられる。
【００６５】
（実施形態４）
つぎに、本発明の実施形態４のパネル受けについて説明する。このパネル受けは、仮設住宅の構築する際に効果がある。一説によると、関東地方で、阪神淡路大震災レベルの地震があった場合には、２０万戸の仮設住宅が必要であると言われている。この場合、既存の手法で構築される仮設住宅では、生産性が低いため、構築に長期間かかり、とても２０万戸を早急に供給することはできない。また、仮設住宅の需要過多のため、仮設住宅の構築部材の調達が困難となることが想定される。さらに、仮設住宅の建設スペースが限られている点、プライバシーの問題に対処する必要がある点を考慮すると、従来にない手法で仮設住宅を提供する必要がある。
【００６６】
近年、震災発生時にも入手が容易である部材（例えばベニヤ板）を用いて現場で構築するという、セルフビルド形式の仮設住宅が注目されている。本実施形態のパネル受けは、主として、セルフビルド形式の仮設住宅に好適に用いることができるものである。
【００６７】
図６は、本発明の実施形態４のパネル受け１２の変形例を示す図である。図７は、図６に示すパネル受け１２の各部位を示す図である。図６，図７に示すように、本実施形態では、パネル受け１２は、壁パネル２０等の外面を受ける外面受け部１２ａと、壁パネル２０等の内面を受ける内面受け部１２ｄと、外面受け部１２ａと内面受け部１２ｄとを接続する接続部１２ｂと、床パネル１０の底面を受ける底面受け部１２ｃと、床パネル１０の底面に開口部を形成して当該開口部に挿入される挿入部１２ｅとを含む。パネル受け１２は、例えば、鉄を亜鉛などでメッキしたものを用いている。
【００６８】
外面受け部１２ａと内面受け部１２ｄとの間隔、及び、接続部１２ｂと底面受け部１２ｃとの間隔を可変できる。したがって、パネル受け１２によって受けるパネルの厚みが規定の物でなくても、このパネル受け１２を用いることができる。実際には、以下説明するように、本実施形態では、外面受け部１２ａと内面受け部１２ｄとを所要の間隔で接着剤等により接続する。なお、本実施形態の説明により、外面受け部１２ａと内面受け部１２ｄとの間隔を可変としていないものが除外されるわけではない。
【００６９】
なお、この間隔を固定タイプにする場合には、外面受け部１２ａと内面受け部１２ｄとの間隔は、パネル厚に若干の遊びを加え、必要に応じて、壁パネル２０等の内装クロス等の厚み分を加えて設定すればよい。
【００７０】
図７（ａ）に示す外面受け部１２ａは、例えば、形状が平板状であり、長さｄが２２．５ｃｍ、幅ｅが３．１６ｃｍ、厚さｆが０．３ｃｍである。
【００７１】
図７（ｂ）に示す接続部１２ｂは、例えば、形状が筒状のものがＬ字に曲げられていて、長さｇが１１．４６ｃｍ、厚さｈが０．３ｃｍ、幅ｉが１．１ｃｍ、長さｊが１０．５ｃｍ、幅ｋが３．１６ｃｍ、幅ｌが２５．６ｃｍである。外面受け部１２ａと接続部１２ｂとは、例えば溶接により相互に接続されている。
【００７２】
図７（ｃ）に示す床面受け部１２ｃは、例えば、形状がＬ字状であり、厚さｍが０．３ｃｍ、長さｎが１３．４ｃｍ、長さｏが９．８ｃｍである。挿入部１２ｅは、床パネル１０とパネル受け１２とのズレを防止するものであり、例えば、形状が円柱状である。挿入部１２ｅは、直径ｐが０．９ｃｍ、長さｑが６ｃｍであり、端部（図７（ｃ）右端）から９．５ｃｍの位置が軸心となる。なお、挿入部１２ｅを受ける開口部は直径を１ｃｍ程度とすればよいし、パネル受け１２が可変式でない場合には、挿入部１２ｅの高さを図示する態様よりも低くするとよい。また、挿入部１２ｅは、床面受け部１２ｃを開口し、かつそこに挿入部１２ｅとなる部材を差し込んで溶接等により接続すればよい。床面受け部１２ｃには、布、フェルト、メリヤス、メッシュ、紙などの介在部１２ｃ’が、両面テープなどの仮止め部１２ｃ”で仮止めされている。ここで、介在部１２ｃ’には、接続部１２ｂ内に床受け部１２ｃを挿入する際に、接着剤が塗布される。介在部１２ｃ’を設けることで、接続部１２ｂと床受け部１２ｃとの接触面積が稼げるので、これらをより強固に接続することができる。なお、接続部１２ｂと床受け部１２ｃとの少なくとも一方の表面を荒らして、同様の効果を得るようにしてもよい。
【００７３】
図７（ｄ）に示す内面受け部１２ｄは、例えば、幅ｒが２．５ｃｍ、長さｓが１２．３ｃｍである。内面受け部１２ｄの場合も、床面受け部１２ｃと同様に、介在部１２ｄ’が、両面テープなどの仮止め部１２ｄ”で仮止めされている。なお、接着剤は、耐水性、耐熱性に優れているとよい。耐水性が優れていない場合には、これを補完するために、防水性樹脂などにより、接着剤が水等に触れないようにするとよい。
【００７４】
ここで、図１に示す防音室１００の場合、床パネル１０の外側に壁パネル２０等が配置されている。このため、床パネル１０よりも天井パネル６０を相対的に大きくする必要があった。これに対して、本実施形態のパネル受け１２を用いると、床パネル１０の端部上面に壁パネル２０等が配置されることになる。このため、床パネル１０と天井パネル６０とを同じ大きさとすることができる。換言すると、本実施形態のパネル受け１２を用いると、災害地において、パネルの大きさを加工する等の必要がない。
【００７５】
以上説明したように、外面受け部１２ａと内面受け部１２ｄとの間隔が可変であれば、ベニヤ板、２×４パネル等、パネル１０〜６０として利用可能なものさえ入手できることを条件に、それらと複数のパネル受け部１２とを用いて、短期間に、かつ、大量に、仮設住宅を構築することができる。この場合、一戸当たりの仮設住宅の建設スペースは、それほど必要にならないので、プライバシーの問題に対処することもできる。
【００７６】
図８は、図６の変形例を示す図である。図８（ａ）は、接続部１２ｂ内に内面受け部１２ｄを挿入したときの一部断面図である。図８（ａ）に示すように、内面受け部１２ｄには、複数の貫通孔が直線的に形成されている。各貫通孔は、例えば直径が１ｃｍである。接続部１２ｂには、上面に貫通孔が形成されている。この貫通孔は、例えば直径が１．５ｃｍである。本実施形態では、内面受け部１２ｄの貫通孔と接続部１２ｂの貫通孔とに対応するリベットタイプの留め具１２ｆを用意する。そして、外面受け部１２ａと内面受け部１２ｄとの間隔を調整した状態で、留め具１２ｆを内面受け部１２ｄの貫通孔と接続部１２ｂの貫通孔とに通す。この場合には、上記間隔を何度でも変更することができる。したがって、例えば、とりあえずベニヤ板を用いて仮設住宅を構築し、その後、２×４パネル等が入手でき次第、ベニヤ板を２×４パネル等に交換をするということも可能になる。
【００７７】
図８（ｂ）は、図８（ａ）の別の例である。この例では、ラチェットタイプの留め具１２ｆを用いる。図８（ａ）の場合には、パネルの厚さに応じて、外面受け部１２ａと内面受け部１２ｄとの間隔を調整してから、接続部１２ｂ上にパネルを載せる必要がある。これに対して、図８（ｂ）の場合には、接続部１２ｂ上にパネルを載せてから、内面受け部１２ｄを外面受け部１２ａに向けて押すだけで、内面受け部１２ｄと外面受け部１２ａとの間隔が調整でき、仮設住宅の構築時におけるユーザの労力が軽減できる。
【００７８】
図９は、図６の別の例を示す図である。図９（ａ）は、図６に示す底面受け部１２ｃを割愛した態様のパネル受け１２の断面図である。このパネル受け１２の場合、外面受け部１２ａの下方を床パネル２０の側面に接続する必要があるが、底面受け部１２ｃの分だけパネル受け１２を軽量化できるというメリットがある。外面受け部１２ａと床パネル２０との接続は、例えば、接着剤を用いて行ってもよいし、ネジ止めでもよい。特に、大震災が発生し、多くのパネル受けを運搬、供給することが必要になったときに、運搬数、供給数を稼げるというメリットがある。
【００７９】
図９（ｂ）は、図１に示す防音室１００のように、床パネル１０の側面に隣接して壁パネル２０等が配置される場合のパネル受け１２の例を示す。図１に示す防音室１００の場合、パネル受け１２等の配置調整が面倒である。しかし、図９（ｂ）に示すパネル受け１２の場合、内面受け部１２ｄを設けているため、内面受け部１２ｄの図面右側面に床パネル１０の側面を当てる態様で、床パネル１０とパネル受け１２等とを接続すれば、面倒な調整が不要になるというメリットがある。
【００８０】
図１０は、図１に示すパネル受け１２等の変形例を示す図である。図１０（ａ）には、床パネル１０と壁パネル２０との交差付近の断面図を示している。この変形例では、壁パネル２０の骨組み部分等にパネル受け１２の立ち上がり部分に対応する溝部を形成している。さらに、床パネル１０の底面にパネル受け１２の取付位置に、パネル受け１２の厚さ分だけ凹部を形成している。このような態様でパネル受け１０の取付等を行うと、防音室１００の使用時にパネル受け１２等が見えなくなり、見栄えがよくなるというメリットがある。
【００８１】
図１０（ｂ）には、天井パネル６０と壁パネル２０との交差付近の断面図を示している。この変形例では、壁パネル２０と天井パネル６０との各接触面に溝部を形成し、一方にパネル受け６５の一端側を取り付け、他方にパネル受け６５の他端側を収容できるようにしている。こうすると、上記の場合と同様に、防音室１００の使用時にパネル受け１２等が見えなくなり、見栄えがよくなるというメリットがある。
【００８２】
図１１は、図１０に示すパネル受け１２等の変形例を示す図である。図１１（ａ）には、床パネル１０と壁パネル２０との交差付近の断面図を示している。この変形例では、例えば８．８ｃｍ厚の骨組み部分を例えば１ｃｍ厚のベニヤ板等で挟んでいる壁パネル２０及び床パネル１０を用いる。そして、例えば壁パネル２０の製造時に、骨組み部分の両端部にパネル受け１２の立ち上がり部分１２ｇ、１２ｈに対応する溝部を形成する。こうすると、当該立ち上がり部分１２ｇ、１２ｈ間の間隔は約８．２ｃｍとなる。また、同様に、床パネル１０の底面にも、パネル受け１２の取付位置に、パネル受け１２の厚さ分だけ溝部を形成するとよい。なお、立ち上がり部分１２ｈをここでは低く（例えば７ｃｍ）図示しているが立ち上がり部分１２ｇと同程度（例えば１２ｃｍ）としてもよい。このような態様でパネル受け１０の取付等を行うと、図１０に示した場合と同様に、防音室１００の使用時にパネル受け１２等が見えなくなり、見栄えがよくなるというメリットがあるのはもちろんのこと、複数の立ち上がり部分１２ｇ、１２ｈを有するので安定した取り付けが可能になる。また、壁パネル２０の製造時に、溝部を形成できるという製造上のメリットがある。
【００８３】
図１１（ｂ）にも、床パネル１０と壁パネル２０との交差付近の断面図を示している。図１２（ａ）は、図１１（ｂ）に示すパネル受け１２の平面図である。図１２（ｂ）は、その変形例であり、立ち上がり部分１２ｇを、挿入部１２ｅのような形状に代えている。このようなパネル受け１２は、図１１（ａ）に示すパネル受け１２を用いることができない場合に有効なものである。このパネル受け１２は、挿入部１２ｅを複数（例えば３つ）設けている。それぞれの挿入部１２ｅは、例えば１２ｃｍ×２．５ｃｍの平板の上に、短部から約５ｍｍの位置に周端がくる態様で形成されている。このようにしたときにも、防音室１００の使用時にパネル受け１２等が見えなくなり、見栄えがよくなるというメリットがあるのはもちろんのこと、安定した取り付けが可能になる。
【００８４】
図１４は、図１０に示すパネル受け１２等の変形例を示す図である。図１４には、床パネル１０と壁パネル２０との交差付近の断面図を示している。この変形例では、パネル受け１２の２つの立ち上がり部分が、それぞれ、対向側が面取りされる形態の斜面を有している。また、床パネル１０及び壁パネル２０の骨組み部分等にパネル受け１２の立ち上がり部分に対応する溝部を形成している。さらに、床パネル１０の底面にパネル受け１２の取付位置に、パネル受け１２の厚さ分だけ凹部を形成している。
【００８５】
このような態様でパネル受け１０の取付等を行うと、防音室１００の使用時にパネル受け１２等が見えなくなり、見栄えがよくなるというメリットがあることはもちろんのこと、図１３に示した連結部材７０と同様の原理で、床パネル１０と壁パネル２０との隙間が少なくなるというメリットがある。
【００８６】
図１５（ａ）は、図１２（ｂ）に示すパネル受け１２の平面図である。図１５（ｂ）は、図１５（ａ）に示すパネル受け１２の側面図である。この変形例においても、パネル受け１２の立ち上がり部分１２ｅ，１２ｇが、相互に、対向側が面取りされる形態の斜面を有している。係る場合、床パネル１０及び壁パネル２０の骨組み部分等にパネル受け１２の立ち上がり部分に対応する溝部を形成し、床パネル１０の底面にパネル受け１２の取付位置に、パネル受け１２の厚さ分だけ凹部を形成している。
【００８７】
このような態様でパネル受け１０の取付等を行うと、防音室１００の使用時にパネル受け１２等が見えなくなり、見栄えがよくなるというメリットがあることはもちろんのこと、図１３に示した連結部材７０と同様の原理で、床パネル１０と壁パネル２０との隙間が少なくなるというメリットがある。
【００８８】
なお、この種のパネル受け１２は、防音室１００の一辺に複数の壁パネル２０が設けられる場合に有効である。すなわち、各壁パネル２０に対して立ち上がり部分１２ｅに対応する溝部をそれぞれ形成し、床パネル１０に対して立ち上がり部分１２ｇに対応する溝部を形成すればよい。
【００８９】
また、本実施形態では、図１４に示すパネル受け１２と図１５に示すパネル受け１２とでは、立ち上がり部分の斜面の形状が異なる点に留意されたい。前者は、図１３の連結部材７０と同様に各斜面は、立ち上がり部分の先端を斜めにカットしているだけである。これは、立ち上がり部分が一対であることに起因する。これに対して、後者は、立ち上がり部分が合計３つあるため、壁パネル２０間の連結性と、各壁パネル２０と床パネル１０との間の連結性との双方を高めるために、頂部が立ち上がり部分の軸心に対して偏心している円錐状としてある。
【００９０】
図１６は、互いに直交する、壁パネル３０と壁パネル５０とを連結する連結部材７０’を示す図である。ここで、図１，図２では、壁パネル３０，５０の各断面を台形状とした例を示したが、これらの各断面を長方形状（つまり、角部の面取りをしてない形状）とした場合には、壁パネル３０と壁パネル５０との連結の必要性が生じる。
【００９１】
そこで、係る場合には、図１６に示すように、Ｌ字状の連結部材７０’によって、壁パネル３０と壁パネル５０とを連結するようにしている。この連結部材７０’も、図１５等に示すように、立ち上がり部分が形成されている。また、選択的に、これらの立ち上がり部分は、対向側が面取りされる形態の斜面を有している。一方、壁パネル３０，５０にも、当該立ち上がり部分に対応する溝部を形成してある。
【産業上の利用可能性】
【００９２】
本発明は、主として、ハウス産業を含む建築産業、音楽産業等に適用することができる。
【図面の簡単な説明】
【００９３】
【図１】本発明の実施形態１の防音室１００の模式的な分解斜視図である。
【図２】図１に示すパーツ１０〜６０の模式的な平面図及び側面図である。
【図３】本発明の実施形態２の防音室１００の壁パネル２０を複数のパネル７１，７２で作成した場合の説明図である。
【図４】本発明の実施形態３の防音室１００の模式的な分解斜視図である。
【図５】図４に示す床パネル１０に、ドアパネル４０，壁パネル５０を取り付けた状態の側面図である。
【図６】本発明の実施形態４のパネル受け１２の変形例を示す図である。
【図７】図６に示すパネル受け１２の各部位を示す図である。
【図８】図６の変形例を示す図である。
【図９】図６の別の例を示す図である。
【図１０】図１の変形例を示す図である。
【図１１】図１０に示すパネル受け１２等の変形例を示す図である。
【図１２】図１０に示すパネル受け１２等の変形例を示す図である。
【図１３】図３の変形例を示す図である。
【図１４】図１０に示すパネル受け１２等の変形例を示す図である。
【図１５】図１２（ｂ）に示すパネル受け１２の平面図及び側面図である。
【図１６】壁パネル３０と壁パネル５０とを連結する連結部材７０’を示す図である。
【符号の説明】
【００９４】
１０  床パネル
１１〜１６  パネル受け
２０，３０，５０  壁パネル
４０  ドアパネル
６０  天井パネル
【図１】
2006312864.tif 000003
【図２】
2006312864.tif 000004
【図３】
2006312864.tif 000005
【図４】
2006312864.tif 000006
【図５】
2006312864.tif 000007
【図６】
2006312864.tif 000008
【図７】
2006312864.tif 000009
【図８】
2006312864.tif 000010
【図９】
2006312864.tif 000011
【図１０】
2006312864.tif 000012
【図１１】
2006312864.tif 000013
【図１２】
2006312864.tif 000014
【図１３】
2006312864.tif 000015
【図１４】
2006312864.tif 000016
【図１５】
2006312864.tif 000017
【図１６】
2006312864.tif 000018
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
複数のパネルを用いて閉空間を構築するプレハブ室において、
前記閉空間の側部を規定する複数の第１パネルと、
前記各第１パネルを受けるパネル受けが取り付けられていて前記閉空間の底部を規定する第２パネルとを備え、
前記パネル受けが、第２パネル本体の一部との間で前記第１パネルを固持できるように取り付けられていて、
前記各パネルは、当該パネルを相互に連結する部材を受ける部分がそれぞれ形成されていて、
前記部材は、略コの字形状部分を有しており、その両端の各先端は、対向側が斜面を有していて、前記受ける部分に挿し込まれることを特徴とするプレハブ室。
【請求項２】
前記パネル受けは、前記第１パネルの外面を受ける外面受け部と、前記第１パネルの内面を受ける内面受け部と、前記外面受け部と前記内面受け部とを接続する接続部と、前記第２パネルの底面を受ける底面受け部とを有し、
前記外面受け部と前記内面受け部との間隔、及び、前記接続部と前記底面受け部との間隔が可変とされていることを特徴とする請求項１記載のプレハブ室。
【請求項３】
前記各パネル間に、パッキンが設けられていることを特徴とする請求項１又は２記載のプレハブ室。 
【請求項４】
前記パネルは、防音パネルであることを特徴とする請求項１から３のいずれか記載のプレハブ室。
【請求項５】
請求項１から４のいずれか記載のプレハブ室を構成する前記各パネルを備えるプレハブ室組み立てキット。
【請求項６】
請求項１から５のいずれか記載のプレハブ室と、前記プレハブ室内のスピーカとを含むことを特徴とするオーディオ室。
【請求項７】
複数のパネルを相互に結合して閉空間を構築するプレハブ室に用いられるパネル結合部材であって、
前記各パネルに形成されている、当該パネルを相互に連結する部材を受ける部分に挿し込まれる両端であって、各先端の対向側が斜面を有している両端を含む、略コの字形状部分を有することを特徴とするパネル結合部材。
【請求項８】
前記閉空間の側部を規定する複数の第１パネルの外面を受ける外面受け部と、前記第１パネルの内面を受ける内面受け部と、前記外面受け部と前記内面受け部とを接続する接続部と、前記閉空間の底部を規定する第２パネルの底面を受ける底面受け部とを有し、
前記外面受け部と前記内面受け部との間隔、及び、前記接続部と前記底面受け部との間隔が可変とされていることを特徴とする請求項７記載のパネル結合部材。
【請求項９】
複数のパネルを相互に結合して閉空間を構築するプレハブ室における前記各パネルと、前記各パネルを相互に結合する結合部材との結合機構であって、
前記閉空間の側部を規定する複数の第１パネルの外面を受ける外面受け部と、前記第１パネルの内面を受ける内面受け部と、前記外面受け部と前記内面受け部とを接続する接続部と、前記閉空間の底部を規定する第２パネルの底面を受ける底面受け部とを有し、
前記結合部材は、前記各パネルに形成されている、当該パネルを相互に連結する部材を受ける部分に挿し込まれる両端であって、各先端の対向側が斜面を有している両端を含む、略コの字形状部分を有していることを特徴とする結合機構。
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
複数のパネルを用いて閉空間を構築するプレハブ室において、
前記閉空間の側部を規定する複数の第１パネルと、
前記各第１パネルを受けるパネル受けが取り付けられていて前記閉空間の底部を規定する第２パネルとを備え、
前記パネル受けが、第２パネル本体の一部との間で前記第１パネルを固持できるように取り付けられていて、
前記各パネルは、当該パネルを相互に連結する部材を受ける部分がそれぞれ形成されていて、
前記部材は、各先端が対向側に斜面が形成されている少なくとも２本の棒状部分を含む略コの字形状部分を有しており、前記棒状部分が前記受ける部分に挿し込まれたときに前記各パネルの隙間を狭めることを特徴とするプレハブ室。
【請求項２】
前記パネル受けは、前記第１パネルの外面を受ける外面受け部と、前記第１パネルの内面を受ける内面受け部と、前記外面受け部と前記内面受け部とを接続する接続部と、前記第２パネルの底面を受ける底面受け部とを有し、
前記外面受け部と前記内面受け部との間隔、及び、前記接続部と前記底面受け部との間隔が可変とされていることを特徴とする請求項１記載のプレハブ室。
【請求項３】
前記各パネル間に、パッキンが設けられていることを特徴とする請求項１又は２記載のプレハブ室。 
【請求項４】
前記パネルは、防音パネルであることを特徴とする請求項１から３のいずれか記載のプレハブ室。
【請求項５】
請求項１から４のいずれか記載のプレハブ室を構成する前記各パネルを備えるプレハブ室組み立てキット。
【請求項６】
請求項１から５のいずれか記載のプレハブ室と、前記プレハブ室内のスピーカとを含むことを特徴とするオーディオ室。